(57)【要約】【課題】定量止水機構，脱塩素剤等の機能部が収容された機能付与器を既存の水栓に取り付けられるようにすることで、容易に機能付水栓に変更することができ、しかも見栄えがよく、使い勝手が損なわないようにする【解決手段】浴室，流し台，洗面台等のカウンター１に立設して取り付けられ、水と湯とが混合される本体４の上部に吐水管２６が装着された水栓３において、前記本体４と吐水管２６との間に機能付与器２９を着脱自在に取り付けた。【選択図】  図２
2004162336.tif 000002
【特許請求の範囲】
【請求項１】
浴室，流し台，洗面台等のカウンターに立設して取り付けられ、水と湯とが混合される本体の上部に吐水管が装着された水栓において、前記本体と吐水管との間に機能付与器を着脱自在に取り付けたことを特徴とする水栓。
【請求項２】
浴室，流し台，洗面台等のカウンターに立設して取り付けられ、水と湯とが混合される本体の上部に吐水管が装着された水栓において、前記吐水管に替えて吐水管を備えた機能付与器を着脱自在に取り付けたことを特徴とする水栓。
【請求項３】
前記機能付与器には、定量止水機構，脱塩素剤，浄水部材，薬剤等を収容したことを特徴とする請求項１又は２記載の水栓。
【請求項４】
前記吐水管は回転自在としたことを特徴とする請求項１乃至３の何れかに記載の水栓。
【発明の詳細な説明】
【０００１】
【発明の属する技術分野】
本発明は、浴室，流し台，洗面台等のカウンターに立設して取り付けられる水栓に関する。
【０００２】
【従来の技術】
従来、例えば浴室で使用される水栓において、水栓の本体内部に定量止水機構を内蔵し、該定量止水機構と連携した操作部材を操作することで、単に湯水の吐水だけでなく、水栓に別の機能を持たせたものは公知である（例えば、特許文献１参照）。
【０００３】
【特許文献１】
特公平２−１７０６５号公報
【０００４】
ところが、特許文献１のように、水栓の本体に定量止水機構が内蔵されている水栓は、定量止水機構が内蔵されていない水栓と比較すると高価であり、既設の水栓を廃棄して新たに購入するには経済的な負担が大きかった。また、水栓の吐水管先端に定量止水機構を装着できるようにしたものが公知であり、既設の水栓に定量止水機構を後付け可能であるが、吐水管の先端に装着される定量吐水機構は形状が大きいため全体の見栄えが悪く、しかも吐水管の先端下部に取り付けられるため、使用時に邪魔になるものであった。
【０００５】
【発明が解決しようとする課題】
この発明は、このような問題点に着目したものであり、その目的は定量止水機構，脱塩素剤等の機能部が収容された機能付与器を既存の水栓に取り付けられるようにすることで、容易に機能付水栓に変更することができ、しかも見栄えがよく、使い勝手が損なわないようにすることである。
【０００６】
【課題を解決するための手段】
本発明は請求項１では、浴室，流し台，洗面台等のカウンターに立設して取り付けられ、水と湯とが混合される本体の上部に吐水管が装着された水栓において、前記本体と吐水管との間に機能付与器を着脱自在に取り付けたものである。
【０００７】
請求項２では、浴室，流し台，洗面台等のカウンターに立設して取り付けられ、水と湯とが混合される本体の上部に吐水管が装着された水栓において、前記吐水管に替えて吐水管を備えた機能付与器を着脱自在に取り付けたものである。
【０００８】
請求項３では、前記機能付与器には、定量止水機構，脱塩素剤，浄水部材，薬剤等を収容したものである。
【０００９】
請求項４では、前記吐水管は回転自在としたものである。
【００１０】
【発明の実施の形態】
以下、本発明の実施の形態を図に基づいて詳細に説明する。
図１及び図２に示すように、水栓３の本体４は略Ｈ型の形状で浴室等のカウンター１に立設して取り付けられ、本体４は、一方の側部には給水源と連通する給水部５が形成され、他方の側部には給湯源と連通する給湯部５ａが形成され、給水部５と給湯部５ａとの間の中央には、給水部５及び給湯部５ａから流入される水，湯を上方に装着した吐水管２６へ供給する混合部２２が形成されている。前記給水部５，給湯部５ａ，混合部２２の各外周面には雄ねじ部６，６ａ，２３が形成されており、該雄ねじ部６，６ａ，２３には固定ナット１９がそれぞれ螺着されている。
【００１１】
前記カウンター１には略等間隔で３つの取付孔２が穿設され、水栓３は下方から上方に向かって給水部５，給湯部５ａ，及び混合部２２を各取付孔２に挿通し、給水部５，給湯部５ａの上部に螺着された接続筒１７の上方に形成された雄ねじ部１８に、カウンター１上方からカバー２１を螺着し、前記固定ナット１９とカバー２１とによりカウンター１を挟着することで、カウンター１に固定されている。
【００１２】
前記給水部５は、水を供給するための供給管２０が接続される一次側流路９が下部に形成され、前記混合部２２と連通する二次側流路１０が側面に形成され、接続筒１７及びスピンドル１４装着用の開口孔７が上部に形成されている。前記一次側流路９と二次側流路１０とは隔壁１１により区画され、該隔壁１１の上下方向に穿設した円形状の弁口１２により、一次側流路９と二次側流路１０とは連通し、前記弁口１２の上端面には環状の弁座１３が形成されている。
【００１３】
前記スピンドル１４は外周面に雄ねじ部１５が形成され、該雄ねじ部１５は給水部５に接続された接続筒１７の雌ねじ部１８ａに螺合されている。また、スピンドル１４の先端には合成樹脂，硬質ゴム等からなる弁体１６が支持されており、スピンドル１４の上端にはビス２４によりハンドル２５が結合され、該ハンドル２５の回転操作でスピンドル１４が上下に進退することで、前記弁体１６が弁座１３に接離し、前記弁体１６が一次側流路９と二次側流路１０とを連通する弁口１２を開閉することで、二次側流路１０へ供給される流量を調節するものである。なお、給湯部５ａは給水部５と同様の構成であり、説明を省略する。
【００１４】
前記混合部２２は給水部５と給湯部５ａの各二次側流路１０と連通しており、水栓３の本体４の中央部から上方に突出しており、外周に形成された雄ねじ部２３には後述する機能付与器２９を介して、水平方向に回転自在な吐水管２６が装着されている。
【００１５】
前記吐水管２６は混合部２２で混合された湯水が外部へ吐水されるものであり、吐水管２６の根元部分には筒部２７が形成されている。該筒部２７の下部内周面には雌ねじ部２８が形成されており、該雌ねじ部２８は前記混合部２２の雄ねじ部２３または機能付与器２９に螺着される。
【００１６】
前記機能付与器２９は、本体部３１と、該本体部３１に収容される機能部３０と、該機能部３０と連携したハンドル部３４とから構成されており、水栓３の本体４と吐水管２６との間に後付けで着脱自在に取り付けられるものである。
【００１７】
前記本体部３１は略円筒形で、上部外周面には雄ねじ部３２が突出して形成され、下部内周面には混合部２２の雄ねじ部２３に螺着可能な雌ねじ部３３が形成されている。また、本体部３１には機能部３０が収容されており、該機能部３０は、例えば、定量止水機構，脱塩素剤，浄水部材，薬剤等の部品である。該機能部３０は本体部３１の外周に設けたハンドル部３４を操作することにより作動するものである。
【００１８】
上記の構成において、既設の水栓に機能付与器を取り付けて機能付水栓へ変更する場合には、まず、水栓３の混合部２２に装着されている吐水管２６を取り外す。そして、混合部２２と吐水管２６との間に、機能部３０が収容された機能付与器２９を取り付ける。この後、吐水管２６の筒部２７に形成された雌ねじ部２８を、機能付与器２９の雄ねじ部３２に螺着する。そして、水栓３のハンドル２５を操作して吐水管２６から湯水が吐水される状態において、機能付与器２９のハンドル部３４を操作すると、機能付与器２９の本体部３１に収容された機能部３０が作動する。
【００１９】
以上のように本発明では、浴室，流し台，洗面台等のカウンターに取り付けられた水栓の本体と吐水管との間に機能付与器を着脱自在に取り付けられることにより、既設の水栓を容易に機能付水栓に変更することができるものである。例えば、機能付与器は機能部に定量止水機構が収容されている場合には、湯水の吐水状態において、機能付与器のハンドル部を操作することで、使用者が所望する吐水量を設定して吐水させることができ、設定した吐水量を吐水した後は自動的に止水させることができる。別の例として、機能部に脱塩素剤が収容されている場合には、湯水の吐水状態において、機能付与器のハンドル部を操作することで、脱塩素剤により残留塩素が除去された肌に優しい湯水を吐水管から吐水させることができる。更に別の例として、機能部に浄水部材が収容されている場合には、湯水の吐水状態において、機能付与器のハンドル部を操作することで、浄水された湯水を吐水管から吐水させることができる。
【００２０】
また、機能付与器はカウンターに立設して取り付けられた水栓の本体と吐水管との間に取り付けられるため、吐水管の下で邪魔になることがなく、水栓に取り付けても見栄えがよい。しかも、機能付与器は吐水管の先端に取り付けられないので、吐水管の回転時に機能付与器が邪魔になることがなく、軽快に回転させることができる。なお本実施例では、水栓は吐水管を中央に装着し、吐水管に対し左右両側に給水部と給湯部とが形成されているが、吐水管は中央ではなく、給水部及び給湯部の左端又は右端に装着してもよい。また、水栓は浴室のカウンターに取り付けられた例を用いて説明したが、これに限定されるものではなく、流し台や洗面台のカウンターに取り付けられたものでもよい。また、水栓は２ハンドル式，シングルレバー式，サーモスタット式等どのようなものでもよい。
【００２１】
図３は本発明の別の実施例であり、機能付与器は吐水管を一体としたものである。機能付与器２９ａは、水栓３の本体４の混合部２２に螺着される本体部３１ａと、該本体部３１ａに収容された機能部３０と、該機能部３０と連携したハンドル部３４と、前記本体部３１ａの上部に形成された湯水を吐水するための吐水管３５とから構成されている。
【００２２】
前記本体部３１ａは下部内周面に雌ねじ部３３ａが形成されており、混合部２２の雄ねじ部２３に螺着される。本体部３１ａの上方には吐水管３５が水平方向に回転自在に装着されている。また、本体部３１ａには機能部３０が収容されており、該機能部３０には、例えば、定量止水機構，脱塩素剤，浄水部材，薬剤等が収容される。該機能部３０は本体部３１ａの外周に設けたハンドル部３４を操作することにより本体部３１ａに収容された機能が作動するものである。
【００２３】
上記の構成において、水栓に機能付与器を取り付けて機能付水栓とする場合には、まず、水栓３の吐水管（図示省略）を取り外す。そして、吐水管３５の下部に形成された本体部３１ａに機能部３０が収容された機能付与器２９ａを、混合部２２の雄ねじ部２３に螺着する。本実施例では、水栓３のハンドル２５を操作して湯水が吐水管３５から吐水される状態において、機能付与器２９ａのハンドル部３４を操作すると、機能付与器２９ａに収容された機能部３０が作動する。なお、この実施例の機能付与器の場合、機能部だけでなく吐水管の内部に、脱塩素剤，浄水部材，薬剤等を収容してもよい。
【００２４】
以上のように本実施例では、浴室，流し台，洗面台等のカウンターに取り付けられた水栓の本体に、吐水管を備えた機能付与器を着脱自在に取り付けることにより、水栓を容易に機能付水栓に変更することができるものである。例えば、機能部に定量止水機構が収容されている場合には、湯水の吐水状態において、機能付与器のハンドル部を操作することで、使用者が所望する吐水量を設定して吐水させることができ、設定した吐水量を吐水した後は自動的に止水させることができる。別の例として、機能部に脱塩素剤を収容した場合には、湯水の吐水状態において、機能付与器のハンドル部を操作することで、脱塩素剤により残留塩素が除去された肌に優しい湯水を吐水管から吐水させることができる。更に別の例として、機能部に浄水部材を収容した場合には、湯水の吐水状態において、機能付与器のハンドル部を操作することで、浄水された湯水を吐水管から吐水させることができる。このように、用途に応じて必要な機能部が収容された機能付与器を水栓に取り付けることで、安価な費用で機能付水栓にすることができる。
【００２５】
また、機能付与器はコンパクトに形成されているので、場所をとることもなく、水栓に取り付けても見栄えがよい。さらに、機能付与器には機能部のみが収容されているので、安価に製造することができる。
【００２６】
【発明の効果】
本発明は、機能付与器を水栓の本体に着脱自在に取り付けたので、既設の水栓を容易に機能付水栓とすることができる。また、機能付与器はカウンターに立設して取り付けられた水栓の本体上部に取り付けられるので、吐水管の下で邪魔になることもなく、水栓に取り付けても見栄えがよい。
【００２７】
また、吐水管は回転時に機能付与器が邪魔になることがなく、軽快に回転させることができる。
【図面の簡単な説明】
【図１】本発明の水栓の一部断面図である。
【図２】図１において、水栓の一部を分解した斜視図である。
【図３】本発明の別の実施例であり、水栓の一部を分解した斜視図である。
【符号の説明】
１                      カウンター
３                      水栓
４                      本体
２６，３５              吐水管
２９，２９ａ            機能付与器
３１，３１ａ            本体部
３０                    機能部
【図１】
2004162336.tif 000003
【図２】
2004162336.tif 000004
【図３】
2004162336.tif 000005